(57)【要約】      （修正有）【課題】構造が簡単で操作を容易かつ安全に行え、掘削孔における任意の位置で確実に未固結試料を採取可能な未固結試料採取装置を提供する。【解決手段】未固結試料３００を収容可能なタンク部３の上部には試料採取ユニット１０が、下部には試料排出ユニット２０がそれぞれ設けられ、試料採取ユニット１０の胴体部１１内には、上下方向に移動可能でバネ部材１５により下方に付勢されワイヤー部材１９に連結されたピストン部１３が収納され、ワイヤー部材を上方に引き上げるとピストン部が上昇して採取口１２が開口しタンク部内に掘削孔２００内の未固結試料を採取できる。また、試料排出ユニット２０の胴体部２１内には、左右方向に移動可能でハンドル部２８に連結されたピストン部２３が収納され、ハンドル部を右方向に引っ張るとピストン部が右方向に移動して排出口２１ａが開口し、タンク部内の未固結試料を排出できる。【選択図】図２
0003221101.tif 000002
【実用新案登録請求の範囲】
【請求項１】
未固結試料を収容可能であるタンク部と、該タンク部に設けられ回転ロッドに連結可能なロッド連結部と、前記タンク部に設けられ未固結試料を採取可能な少なくとも１つの試料採取ユニット及び未固結試料を排出可能な少なくとも１つの試料排出ユニットを有する未固結試料採取装置であって、前記タンク部は、底板部を備える略円筒状の収容部と該収容部の上端部を密閉する上蓋部を有し、前記試料採取ユニットは、上端部が塞がれ下端部に開口部が設けられ側面に少なくとも１つの採取口が形成された略円筒状の胴体部と、該胴体部の内部を移動可能であるとともに前記採取口を閉塞可能なピストン部と、前記胴体部の内部において前記採取口を閉塞可能な位置まで前記ピストン部を下方に付勢するバネ部材と、前記ピストン部と連結され前記ピストン部を引き上げ操作可能なワイヤー部材を有し、前記開口部を介して前記胴体部の内部と前記タンク部の内部が連通しており、前記試料排出ユニットは、一端部が塞がれ他端部に排出口が設けられ側面に流入口が形成された略円筒状の胴体部と、該胴体部の内部を移動可能であるとともに前記排出口を閉塞可能なピストン部と、該ピストン部と連結され前記ピストン部の移動操作が可能なハンドル部を有し、前記流入口を介して前記胴体部の内部と前記タンク部の内部が連通していることを特徴とする未固結試料採取装置。
【請求項２】
前記試料採取ユニットの前記胴体部の長手方向と、前記ロッド連結部の中心軸が略平行であることを特徴とする請求項１記載の未固結試料採取装置。
【請求項３】
前記タンク部の内部に複数の小タンク部が形成され、それぞれの該小タンク部には前記試料採取ユニット及び前記試料排出ユニットが少なくとも１つずつ設けられ、それぞれの前記小タンク部の内部が、前記試料採取ユニットの前記胴体部の内部と前記開口部を介して連通しているとともに、前記試料排出ユニットの前記胴体部の内部と前記流入口を介して連通していることを特徴とする請求項１または請求項２に記載の未固結試料採取装置。
【考案の詳細な説明】
【技術分野】
【０００１】
本考案は、既製杭の埋込み工法において掘削孔内の未固結試料を採取する装置に関する。
【背景技術】
【０００２】
既製杭の埋込み工法として、数多くのプレボーリング工法や中掘り工法が提案されている。そして、それらの工法において掘削孔を掘削する際、その先端部を拡大掘削して根固め部を築造する場合としない場合があるが、いずれの場合も掘削孔の先端部に根固め液を注入して掘削土砂と混合し、ソイルセメントを形成して固化させることで根固め部を築造する。そして、プレボーリング工法では、杭周部に杭周固定液を注入して掘削土砂と混合し、ソイルセメントを形成し固化させることで既製杭を地盤に定着させている。
【０００３】
近年、既製杭を使用して大きな支持力を得る高支持力工法が普及し、支持力が増大することとなった結果、根固め部および杭周固定部の強度の確保といった施工品質確保への関心が高まってきている。そのため、原位置でソイルセメントが固化する前の未固結試料を採取することによる根固め部等の強度確認や、コアボーリングによりソイルセメントが固化した固結試料を採取することによる根固め部等の強度確認などが行われている。
【０００４】
しかし、コアボーリングによって杭周固定部の固結試料を採取する場合は、採取する位置まで固化したソイルセメントを削孔する必要があるため、採取作業には多くの時間やコストを要していた。また、杭長が長い既製杭を埋め込む掘削孔における根固め部の固結試料を採取する場合は、ソイルセメントが固化する前に、先端部が閉塞した削孔のためのガイド管を既製杭の杭体の内部に挿入しておく必要があるため、固結試料の採取作業はコストがかかるとともに煩雑であった。
【０００５】
よって、ソイルセメントが固化した固結試料を採取するよりも、ソイルセメントが固化する前の未固結試料を採取して、強度確認を行う作業の方が容易であるため、特定の容器により未固結試料の採取を行う採取装置が多く提案されてきた。
【先行技術文献】
【特許文献】
【０００６】
【特許文献１】特開２０１７−１７９８５５号公報
【特許文献２】特開２０１２−２３７１９２号公報
【０００７】
しかし、上記特許文献１のように、未固結試料の採取装置の採取機構が、採取口の開閉を油圧によって行う構造の場合は、掘削用ロッドに設置した油圧配管の接続部が外れることにより、作動油が流出して未固結試料の採取が行えなくなるだけでなく、環境汚染や作業環境の悪化を招く等の恐れがある。
【０００８】
また、上記特許文献２のように、未固結試料の採取装置の採取機構が、採取口の開閉を機械構造によって行う機械式であって、操作ロッドの操作により採取タンクの取込口を開放したり塞いだりする構造の場合は、操作ロッドの操作に微調整が必要であるためその操作が難しく、構造が複雑であるため機構調整も必要であるという問題点を有する。
【考案の概要】
【考案が解決しようとする課題】
【０００９】
本考案は、上記のような従来の諸問題点を解決するためのもので、構造が簡単で操作を容易かつ安全に行えるとともに、掘削孔における任意の位置（深さ）で確実に未固結試料の採取を行える未固結試料採取装置を提供することを目的とする。
【課題を解決するための手段】
【００１０】
上記目的を達成するために、請求項１に係る考案は、未固結試料を収容可能であるタンク部と、該タンク部に設けられ回転ロッドに連結可能なロッド連結部と、前記タンク部に設けられ未固結試料を採取可能な少なくとも１つの試料採取ユニット及び未固結試料を排出可能な少なくとも１つの試料排出ユニットを有する未固結試料採取装置であって、前記タンク部は、底板部を備える略円筒状の収容部と該収容部の上端部を密閉する上蓋部を有し、前記試料採取ユニットは、上端部が塞がれ下端部に開口部が設けられ側面に少なくとも１つの採取口が形成された略円筒状の胴体部と、該胴体部の内部を移動可能であるとともに前記採取口を閉塞可能なピストン部と、前記胴体部の内部において前記採取口を閉塞可能な位置まで前記ピストン部を下方に付勢するバネ部材と、前記ピストン部と連結され前記ピストン部を引き上げ操作可能なワイヤー部材を有し、前記開口部を介して前記胴体部の内部と前記タンク部の内部が連通しており、前記試料排出ユニットは、一端部が塞がれ他端部に排出口が設けられ側面に流入口が形成された略円筒状の胴体部と、該胴体部の内部を移動可能であるとともに前記排出口を閉塞可能なピストン部と、該ピストン部と連結され前記ピストン部の移動操作が可能なハンドル部を有し、前記流入口を介して前記胴体部の内部と前記タンク部の内部が連通していることを特徴とする。
【００１１】
また、請求項２に係る考案は、前記試料採取ユニットの前記胴体部の長手方向と、前記ロッド連結部の中心軸が略平行であることを特徴とする。
【００１２】
また、請求項３に係る考案は、前記タンク部の内部に複数の小タンク部が形成され、それぞれの該小タンク部には前記試料採取ユニット及び前記試料排出ユニットが少なくとも１つずつ設けられ、それぞれの前記小タンク部の内部が、前記試料採取ユニットの前記胴体部の内部と前記開口部を介して連通しているとともに、前記試料排出ユニットの前記胴体部の内部と前記流入口を介して連通していることを特徴とする。
【考案の効果】
【００１３】
上記より、請求項１に係る考案によれば、構造が簡単であって機構調整の必要が無いため、未固結試料の採取及び排出作業を容易かつ安全に行うことができるとともに、掘削孔における根固め部や杭周固定部の任意の位置で未固結試料を採取することができる。また、未固結試料の採取の際は、ワイヤー部材が上方へ引き上げられたり下方へ引き戻されたりした状態を目視で確認することにより、間接的ではあるが採取口の開閉の状態を把握することができるため、未固結試料の採取を確実に行うことができる。また、構造が簡単であるため、使用後の未固結試料採取装置自体の洗浄を容易に行うことができる。
【００１４】
また、試料採取ユニットまたは採取口を複数設けることにより、より短時間で且つ確実に未固結試料を採取することができる。また、試料排出ユニットを複数設けることにより、採取した未固結試料をより短時間で且つ確実に排出することができる。
【００１５】
また、請求項２に係る考案によれば、試料採取ユニットの胴体部の長手方向と、ロッド連結部の中心軸が略平行であるため、ワイヤー部材を回転ロッドと略平行となるように配置することが可能となり、ピストン部をスムーズに上下方向へ移動させることができる。それにより、採取口の開閉をスムーズに行うことができるため、より正確な（所望の）位置で確実に未固結試料を採取することができる。
【００１６】
また、請求項３に係る考案によれば、それぞれの小タンク部の内部に別々の未固結試料を採取することができるとともに、それぞれの小タンク部の内部に収容した未固結試料を別々に排出することができるため、根固め部や杭周固定部における複数の位置で未固結試料を採取する際の採取労力を軽減することができるとともに、採取作業時間を短縮することができる。
【図面の簡単な説明】
【００１７】
【図１】本考案の第１実施形態に係る未固結試料採取装置の部分断面図である。
【図２】本考案の第１実施形態に係る未固結試料採取装置の未固結試料採取状態図である。
【図３】本考案の第１実施形態に係る未固結試料採取装置の未固結試料排出状態図である。
【図４】本考案の第２実施形態に係る未固結試料採取装置の部分断面図である。
【図５】本考案の第３実施形態に係る未固結試料採取装置の部分断面図である。
【図６】本考案の第４実施形態に係る未固結試料採取装置の部分断面図である。
【図７】本考案の第１実施形態に係る未固結試料採取装置を使用する掘削孔の掘削状態図である。
【図８】本考案の第１実施形態に係る未固結試料採取装置の未固結試料採取時の使用状態図である。
【図９】本考案の第１実施形態に係る未固結試料採取装置の未固結試料排出時の使用状態図である。
【図１０】本考案の第１実施形態に係る未固結試料採取装置の未固結試料排出時のその他の使用状態図である。
【考案を実施するための形態】
【００１８】
以下、本考案の実施形態について図に従って説明する。尚、以下では実施形態を詳細に説明するが、本考案はこれに限定されるものではない。また、各図における同一の構成要素については同一の符号を付するとともに、その説明については省略する。まず、第１実施形態に係る未固結試料採取装置１について説明すると、図１に示すように、ロッド連結部２が設けられたタンク部３と、試料採取ユニット１０と、試料排出ユニット２０を有する。
【００１９】
タンク部３は上蓋部４と収容部５からなる。上蓋部４は、厚さの薄い略円形の板状部材であり、収容部５の上端部にボルト等により固定され、収容部５を密閉している。そして、上蓋部４上の略中央には、回転ロッド１０１の先端部に連結可能なロッド連結部２が設けられている。このロッド連結部２は、その中心軸が上蓋部４に対し略垂直となるように設けられている。
【００２０】
また、上蓋部４の外周縁付近には略円形状の貫通孔６が形成されている。そして、その上蓋部４上の貫通孔６の位置には、試料採取ユニット１０が設けられ、その胴体部１１の長手方向が上蓋部４に対し略垂直となるとともにロッド連結部２の中心軸に対し平行となるように固定されている。
【００２１】
試料採取ユニット１０の胴体部１１は、略円筒状であって上端部が天板部１１ａによって塞がれている一方、下端部は開口し開口部１１ｂが設けられている。そして、胴体部１１の内径は貫通孔６の内径よりも大きいため、胴体部１１により貫通孔６全体が覆われた状態となっている。
【００２２】
そのため、開口部１１ｂ及び貫通孔６を介して、胴体部１１の内部とタンク部３の内部とが連通した状態となっている。また、胴体部１１の側面の下端部付近には、未固結試料３００をタンク部３の内部に採取するための略円形状の採取口１２が形成されている。
【００２３】
そして、胴体部１１の内部には、胴体部１１の内径とほぼ同じかやや小さい外径を有する略円柱状のピストン部１３が収容され、そのピストン部１３が胴体部１１内を上下方向に移動可能となっている。ピストン部１３の側面の上端部及び下端部付近には、周方向に連続して延びるゴムパッキン１４，１４が設けられ、そのゴムパッキン１４が胴体部１１の内側面と接しているため、胴体部１１の内側面とピストン部１３の側面との隙間をゴムパッキン１４が塞いだ状態となっている。
【００２４】
尚、ピストン部１３の外径は、上蓋部４に形成されている貫通孔６の内径よりも大きく形成されており、ピストン部１３の上下方向の長さは胴体部１１に形成された採取口１２の内径よりも長く形成されている。
【００２５】
また、ピストン部１３の上端面１３ａと胴体部１１の天板部１１ａの間の空間には、バネ部材１５が収容されており、そのバネ部材１５がピストン部１３を下方に付勢している状態となっている。そのため、通常時のピストン部１３は、胴体部１１内においてタンク部３の上蓋部４と当接する一番下方に位置し、胴体部１１の開口部１１ｂ及び採取口１２を塞いだ状態となり、外部から胴体部１１内への未固結試料３００の侵入を阻止している。また、ピストン部１３は同時に、上蓋部４に形成されている貫通孔６も塞いだ状態となっている。
【００２６】
また、ピストン部１３にはその上端面１３ａの略中心から上方に向けて延びるロッド部１６が設けられている。このロッド部１６は、胴体部１１の天板部１１ａの略中心に形成された挿通孔１８に挿通され、ロッド部１６の上端部１６ａは胴体部１１の天板部１１ａより上方へ向けて突出するとともにワイヤー部材１９と連結されている。
【００２７】
上記構造より、ワイヤー部材１９を操作することによって、ピストン部１３の上下方向の移動が可能となっている。具体的には、ワイヤー部材１９を上方に引き上げることで、図２に示すように、ワイヤー部材１９に連結されたロッド部１６が挿通孔１８に誘導されながら上方へ引き上げられるため、それに伴いロッド部１６の下端部１６ｂに固定されているピストン部１３も胴体部１１内において上方へ引き上げられる。
【００２８】
それにより、ピストン部１３により塞がれていた胴体部１１の開口部１１ｂ、採取口１２及び上蓋部４の貫通孔６が開口した状態となるため、未固結試料採取装置１の外部とタンク部３の内部とが連通した状態となる。よって、掘削孔２００内における試料採取ユニット１０の採取口１２付近に存在する未固結試料３００が、採取口１２、開口部１１ｂ及び貫通孔６を通ってタンク部３内に流入可能となるため、タンク部３内に未固結試料３００を収容することができる。
【００２９】
このとき、試料採取ユニット１０の胴体部１１内に収容されたバネ部材１５は、ピストン部１３の上方への移動により、縮んだ状態となる。
【００３０】
尚、未固結試料３００のタンク部３内への流入と同時に、タンク部３内に存在する空気が上蓋部４の貫通孔６、胴体部１１の開口部１１ｂ及び採取口１２を通って未固結試料採取装置１の外に排出される。
【００３１】
一方、上方に引き上げていたワイヤー部材１９を放すことで、バネ部材１５の復元力によりバネ部材１５が伸びた状態に戻るため、ピストン部１３は胴体部１１内においてバネ部材１５により下方へ押し下げられてタンク部３の上蓋部４と当接する一番下方の位置へ戻るとともに、ピストン部１３に固定されたロッド部１６に連結されたワイヤー部材１９は下方に引き戻される。そのため、ピストン部１３が胴体部１１の開口部１１ｂ、採取口１２及び上蓋部４の貫通孔６を再び塞ぐ状態となり、タンク部３内への未固結試料３００の流入が遮断される。
【００３２】
また、試料採取ユニット１０の胴体部１１の長手方向と、ロッド連結部２の中心軸及びそれと連結する回転ロッド１０１の中心軸が略平行となる構造であるため、未固結試料採取装置１を掘削孔２００の深い位置まで降下させた場合であっても、ワイヤー部材１９を回転ロッド１０１に沿って回転ロッド１０１と略平行となるように配置することで、ワイヤー部材１９をスムーズに操作することができるとともにピストン部１３を胴体部１１内において上下方向にスムーズに移動させることができる。そのため、掘削孔２００内における所望の位置においてタンク部３内に確実に未固結試料３００を収容することができる。
【００３３】
収容部５は、底板部５ａを有する略円筒状の部材であって、その上端部は開口しており、その内部には未固結試料３００を収容することが可能となっている。また、底板部５ａ上においては、底板部５ａの径方向に沿って延びる試料排出ユニット２０が設けられている。
【００３４】
この試料排出ユニット２０は、略円筒状の胴体部２１を有しており、その両端部はタンク部３から突出した状態となっている。そして、胴体部２１の一端部は開口して排出口２１ａが設けられている一方、他端部は端板部２１ｂによって塞がれている。胴体部２１の側面のうち、タンク部３内に位置する部分に略円形状の流入口２２が形成されている。そのため、流入口２２を介して胴体部２１の内部とタンク部３の内部とが連通した状態となっている。
【００３５】
そして、胴体部２１の内部には、胴体部２１の内径とほぼ同じかやや小さい外径を有する略円柱状のピストン部２３が収容され、そのピストン部２３が胴体部２１内を（第１実施形態においては左右方向に）移動可能となっている。ピストン部２３の側面の左右両端部付近には、周方向に連続して延びるゴムパッキン２４，２４が設けられ、そのゴムパッキン２４が胴体部２１の内側面と接しているため、胴体部２１の内側面とピストン部２３の側面との隙間をゴムパッキン２４が塞いだ状態となっている。尚、ピストン部１３の左右方向の長さは、胴体部２１に形成された流入口２２の内径よりも長く形成されている。
【００３６】
そのため通常時は、図１に示すように、ピストン部２３は胴体部２１内において流入口２２が形成されている場所に位置し、流入口２２を塞いだ状態となり、タンク部３内に収容された未固結試料３００の胴体部２１内への浸入を阻止している。また、ピストン部２３は同時に胴体部２１の排出口２１ａも塞いだ状態となっている。
【００３７】
また、ピストン部２３にはその右端面２３ａの略中心から右方向に向けて延びるロッド部２５が設けられている。このロッド部２５は、胴体部２１の端板部２１ｂの略中心に形成された挿通孔２６に挿通され、ロッド部２５の右端部２５ａは胴体部２１の端板部２１ｂより右側に向けて突出するとともに、その右端部２５ａにはハンドル部２８が設けられている。
【００３８】
上記構造により、ハンドル部２８を操作することによって、ピストン部２３の左右方向の移動が可能となっている。具体的には、ハンドル部２８を右方向に引っ張ることで、図３に示すように、ハンドル部２８に連結されたロッド部２５が挿通孔２６に誘導されながら胴体部２１から引き出されつつ右方向へ移動するため、それに伴いロッド部２６の左端部２５ｂに固定されているピストン部２３も胴体部２１内において右方向へ移動する。
【００３９】
それにより、ピストン部２３により塞がれていた胴体部２１の流入口２２及び排出口２１ａが開口した状態となるため、未固結試料採取装置１の外部とタンク部３の内部とが連通した状態となる。よって、タンク部３内に収容された未固結試料３００を、流入口２２及び排出口２１ａを通してタンク部３外へ排出することができる。
【００４０】
そして、タンク部３内の未固結試料３００を排出し終わった後は、ハンドル部２８を左方向に押し込むことで、ハンドル部２８に連結されたロッド部２５が挿通孔２６に誘導されながら胴体部２１内に押し込まれつつ左方向へ移動するため、それに伴いロッド部２６の左端部２５ｂに固定されているピストン部２３も胴体部２１内において左方向へ移動し、開口した状態の流入口２２及び排出口２１ａをピストン部２３によって再び塞いだ状態となる。
【００４１】
尚、タンク部３内に未固結試料３００を収容する際は、試料排出ユニット２０の胴体部２１の排出口２１ａから収容部５内に未固結試料３００が侵入しないように、図１及び図２に示すように、キャップ２９で排出口２１ａを塞いだ状態とする。一方、タンク部３内に収容された未固結試料３００を排出する際は、未固結試料３００を後述する未固結試料回収箱１０４に排出しやすくするために、図３に示すように、排出口２１ａからキャップ２９を外し、その代わりにＬ字形に曲がった管状の排出用プラグ３０を装着する。
【００４２】
このように、第１実施形態に係る未固結試料採取装置１は、構造が簡単であって、特にその機構の調整も必要ないため、未固結試料３００の採取及び排出する操作を容易かつ安全に行うことができる。また、未固結試料３００の採取を、掘削孔における根固め部や杭周固定部などの任意の位置（深さ）において行うことができる。
【００４３】
また、上記よりワイヤー部材１９の状態（上方へ引き上げられた状態または下方へ引き戻された状態）を目視により確認することで、間接的ではあるものの、採取口１２の状態（開口した状態または塞がれた状態）を把握することができるため、任意の位置においてタンク部３内に未固結試料３００の確実に収容することができる。
【００４４】
また、構造が簡単であることから、未固結試料３００の採取に使用した後の未固結試料採取装置１自体の洗浄を容易に行うことができる。
【００４５】
ところで、第１実施形態に係る未固結試料採取装置１においては、図１に示すように、試料採取ユニット１０が上蓋部４上に設けられているが、図４に示す第２実施形態に係る未固結試料採取装置１Ａのように、タンク部３の収容部５の上部に設けられ上方へ向けて円弧状に湾曲する略円筒状の連結部３１を介して、試料採取ユニット１０がタンク部３に連結されていてもよい。このとき、試料採取ユニット１０の内部とタンク部３の内部が連通した状態となっている。
【００４６】
上記構造の場合、試料採取ユニット１０の採取口１２から連結部３１を通ってタンク部３内に未固結試料３００が流入する際は、上記第１実施形態と同様に、同時にタンク部３内に存在する空気が収容部５の貫通孔６、連結部３１、胴体部１１の開口部１１ｂ及び採取口１２を通って未固結試料採取装置１Ａの外に排出される必要がある。そのため、タンク部３内の大部分の空気が排出可能となるように、収容部５において連結部３１がその上端部付近に連結されていることが望ましい。
【００４７】
また、図４に示すように、試料排出ユニット２０の上方に、下方に向けて窄まる漏斗状部材３２が設けられていてもよい。具体的には、漏斗状部材３２の上端部の全周縁部がタンク部３の収容部５の内側面と接し、漏斗状部材３２に設けられた開口部３２ａの下端部の全周縁部と試料排出ユニット２０の流入口２２の全周縁部とが接した状態で固定されている。このような構造により、タンク部３内に収容された未固結試料３００を試料排出ユニット２０の胴体部２１内に確実に誘導することができる。
【００４８】
また、第１実施形態においては、未固結試料３００を採取するための試料採取ユニット１０がタンク部３に１つだけ設けられているが、未固結試料３００がタンク部３内に流入しやすく（タンク部３内の空気が外に排出されやすく）するとともに未固結試料３００を短時間で確実に採取するために、図５に示す第３実施形態に係る未固結試料採取装置１Ｂのように、試料採取ユニット１０がタンク部３に２つ（またはそれ以上）設けられていても良い。
【００４９】
また、第１実施形態においては、試料採取ユニット１０の胴体部１１の側面に採取口１２が１つだけ形成されているが、未固結試料３００をタンク部３内に流入しやすく（タンク部３内の空気が外に排出されやすく）するとともに未固結試料３００を短時間で確実に採取するために、胴体部１１の側面に採取口１２が複数形成されていてもよい（図示せず）。その場合、胴体部１１内において一番下方に位置する通常時のピストン部１３によって全ての採取口１２が塞がれた状態となるように、採取口１２の高さがほぼ揃えて形成されていることが望ましい。
【００５０】
また、第１実施形態においては、タンク部３内に収容された未固結試料３００をタンク部３の外へ排出するための試料排出ユニット２０がタンク部３に１つだけ設けられているが、未固結試料３００を短時間で確実に排出するために、試料排出ユニット２０がタンク部３に複数設けられていても良い（図示せず）。
【００５１】
また、図６に示す第４実施形態に係る未固結試料採取装置１Ｃのように、タンク部３の内部を仕切り壁５ｂで縦に完全に仕切ることでタンク部３を２つの小タンク部３ａ及び３ｂに分割し、それらの小タンク部３ａ，３ｂそれぞれに、図１に示す第１実施形態に係る未固結試料採取装置１と同様にして、試料採取ユニット１０及び試料排出ユニット２０を少なくとも１つずつ設けた状態としてもよい。
【００５２】
上記構造により、それぞれの小タンク部３ａ，３ｂ内にそれぞれ別々の未固結試料３００を収容することができるとともに、それぞれの小タンク部３ａ，３ｂ内に収容された未固結試料３００をそれぞれ別々に排出することができる。
【００５３】
それにより、掘削孔２００内において、根固め部の未固結試料３００であるソイルセメント３００ａと杭周固定部の未固結試料３００であるソイルセメント３００ｂを採取したい場合は、根固め部においてソイルセメント３００ａを採取し一方の小タンク部３ａ（３ｂ）内に収容した後、その収容したソイルセメント３００ａを排出するために未固結試料採取装置１Ｃを地上まで引き上げることなく、連続して杭周固定部においてソイルセメント３００ｂを採取し他方の小タンク部３ｂ（３ａ）内に収容することができる。そのため、未固結試料３００を２カ所で採取する際の採取労力を軽減することができるとともに、採取作業時間を短縮することができる。
【００５４】
尚、図６に示す第４実施形態に係る未固結試料採取装置１Ｃにおいては、タンク部３の内部を２つに分割しているが、３つ以上に分割してもよい。また、未固結試料採取装置１Ｃにおいては、仕切り壁５ｂによってタンク部３の内部を縦に分割しているが、仕切り壁５ｂによってタンク部３の内部を横に分割しても良い（図示せず）。その場合は、分割により形成された小タンク部それぞれに、例えば図４に示す第２実施形態に係る未固結試料採取装置１Ａと同様にして試料採取ユニット１０を設けるとともに、図１に示す第１実施形態に係る未固結試料採取装置１と同様にして試料排出ユニット２０を設ける。
【００５５】
次に、第１実施形態に係る未固結試料採取装置１を使用した未固結試料３００の採取方法について具体的に説明する。まず、図７に示すように、掘削機１００の回転ロッド１０１の先端に掘削装置１０２を連結して、地面２０１に所定の深さの掘削孔２００を掘削する。掘削後、掘削孔２００の先端部に根固め液を注入しながら回転ロッド１０１を上下反復し、根固め液と掘削土砂と混合し撹拌することで、ソイルセメント３００ａを形成しながら根固め部を築造する。
【００５６】
その後、杭周固定液を注入しながら回転ロッド１０１を上下反復し、杭周固定液と掘削土砂と混合し撹拌してソイルセメント３００ｂを形成しながら杭周固定部を築造する。そして、掘削孔２００から回転ロッド１０１を引き上げ、その先端に連結されている掘削装置１０２を外し、代わりに未固結試料採取装置１を連結する。そして、回転ロッド１０１を掘削機１００から外し、代わりにクレーン１０３により回転ロッド１０１を吊る。
【００５７】
このとき、図１に示すように、試料採取ユニット１０内のピストン部１３は胴体部１１内において一番下方に位置するため、未固結試料採取装置１の上蓋部４における貫通孔６、試料採取ユニット１０における胴体部１１の開口部１１ｂ及び採取口１２はピストン部１３により塞がれた状態となっている。また、試料排出ユニット２０における胴体部２１の流入口２２及び排出口２１ａはピストン部２３により塞がれた状態となっている。また、排出口２１ａは、キャップ２９によっても塞がれた状態となっている。
【００５８】
そして、図８に示すように、掘削孔２００において未固結試料３００（固化する前のソイルセメント３００ａ，３００ｂ）を採取したい位置まで未固結試料採取装置１をクレーン１０３により降下させる。このとき、ワイヤー部材１９を回転ロッド１０１に沿って回転ロッド１０１と略平行となるように配置しつつ試料採取ユニット１０から地上（地面２０１）まで延ばすとともに、その一方の端部１９ａを掘削孔２００の周辺の地面２０１で待機する操作者２０２に持たせ、ワイヤー部材１９を操作可能な状態にてしておく。
【００５９】
次に、未固結試料採取装置１が未固結試料３００を採取したい位置まで到達したとき、クレーン１０３による未固結試料採取装置１の降下を停止させる。そして、未固結試料３００を採取するために、操作者２０２によってワイヤー部材１９を引っ張る等の操作を行い、図２に示すように、ワイヤー部材１９を上方へ引き上げてその状態をしばらく維持する。
【００６０】
それにより、ピストン部１３も胴体部１１内で上方へ引き上げられ、上蓋部４における貫通孔６、試料採取ユニット１０における胴体部１１の開口部１１ｂ及び採取口１２が開口しその状態が維持されるため、掘削孔２００内における試料採取ユニット１０の採取口１２付近に存在する未固結試料３００がタンク部３内に流入し、タンク部３内に未固結試料３００を収容することができる。
【００６１】
そして、タンク部３内に十分な量の未固結試料３００を収容した後、操作者２０２の操作によって上方へ引き上げていたワイヤー部材１９を放す。こうすることで、バネ部材１５の復元力によりピストン部１３が胴体部１１内における一番下方の位置に戻り、上蓋部４における貫通孔６、試料採取ユニット１０における胴体部１１の開口部１１ｂ及び採取口１２がピストン部１３により塞がれた状態に戻るため、タンク部３内への未固結試料３００の流入を遮断することができる。
【００６２】
次に、図９に示すように、クレーン１０３により掘削孔２００から回転ロッド１０１及び未固結試料採取装置１を引き上げ、未固結試料３００を回収するための未固結試料回収箱１０４の真上まで移動させる。このとき、試料排出ユニット２０における胴体部２１の排出口２１ａからキャップ２９を外し、その代わりに排出用プラグ３０を装着する。
【００６３】
そして、図３及び図９に示すように、操作者２０２がハンドル部２８を右方向に引っ張ることにより、ピストン部２３によって塞がれていた試料排出ユニット２０における胴体部２１の流入口２２及び排出口２１ａを開口させ、タンク部３内に収容された未固結試料３００をタンク部３外へ排出させることで、未固結試料回収箱１０４内に未固結試料３００を回収する。
【００６４】
尚、図４に示す第２実施形態に係る未固結試料採取装置１Ａ、図５に示す第３実施形態に係る未固結試料採取装置１Ｂ及び図６に示す第４実施形態に係る未固結試料採取装置１Ｃによる未固結試料３００の採取方法については、上記第１実施形態に係る未固結試料採取装置１の場合とほぼ同様であり、操作者２０２によりワイヤー部材１９を上方へ引き上げることによりタンク部３（３ａ，３ｂ）内に未固結試料３００を収容することができ、上方へ引き上げていたワイヤー部材１９を放すことで、タンク部３（３ａ，３ｂ）内への未固結試料３００の流入を遮断することができる。
【００６５】
また、ハンドル部２８を引っ張ってロッド部２５を胴体部２１から引き出すことで、タンク部３（３ａ，３ｂ）内に収容された未固結試料３００をタンク部３（３ａ，３ｂ）外へ排出させることができる。尚、タンク部３（３ａ，３ｂ）内の未固結試料３００の排出後は、ハンドル部２８を押し込んでロッド部２５を胴体部２１内に押し込むことで、胴体部２１の流入口２２及び排出口２１ａをピストン部２３によって塞いだ状態とする。
【００６６】
尚、既に掘削されて未固結試料３００が満たされている掘削孔２００において、未固結試料３００の採取作業を行う場合には、図８等に示す回転ロッド１０１の代わりに図１０に示すような試料採取専用ロッド１０５を使用し、その先端に未固結試料採取装置１等を連結し、試料採取専用ロッド１０５をクレーン１０３で吊ることにより未固結試料３００の採取作業を行ってもよい。
【符号の説明】
【００６７】
１，１Ａ，１Ｂ，１Ｃ  未固結試料採取装置  ２４    ゴムパッキン
２      ロッド連結部                      ２５    ロッド部
３      タンク部                          ２５ａ  右端部
３ａ，３ｂ  小タンク部                    ２５ｂ  左端部
４      上蓋部                            ２６    挿通孔
５      収容部                            ２８    ハンドル部
５ａ    底板部                            ２９    キャップ
５ｂ    仕切り壁                          ３０    排出用プラグ
６      貫通孔                            ３１    連結部
１０    試料採取ユニット                  ３２    漏斗状部材
１１    胴体部                            ３２ａ  開口部
１１ａ  天板部                            １００  掘削機
１１ｂ  開口部                            １０１  回転ロッド
１２    採取口                            １０２  掘削装置
１３    ピストン部                        １０３  クレーン
１３ａ  上端面                            １０４  未固結試料回収箱
１４    ゴムパッキン                      １０５  試料採取専用ロッド
１５    バネ部材                          ２００  掘削孔
１６    ロッド部                          ２０１  地面
１６ａ  上端部                            ２０２  操作者
１６ｂ  下端部                            ３００，３００ａ，３００ｂ  未固結試料
１８    挿通孔
１９    ワイヤー部材
２０    試料排出ユニット
２１    胴体部
２１ａ  排出口
２１ｂ  端板部
２２    流入口
２３    ピストン部
２３ａ  右端面
【図１】
0003221101.tif 000003
【図２】
0003221101.tif 000004
【図３】
0003221101.tif 000005
【図４】
0003221101.tif 000006
【図５】
0003221101.tif 000007
【図６】
0003221101.tif 000008
【図７】
0003221101.tif 000009
【図８】
0003221101.tif 000010
【図９】
0003221101.tif 000011
【図１０】
0003221101.tif 000012